(57)【特許請求の範囲】
【請求項１】
左右一対のカップ部を備えたカップ付き女性用衣類であって、
着用状態で乳房の下縁基底線に沿うように前記カップ部内側の下縁湾曲部に設けられる空気を通すための下縁湾曲溝と、
前記下縁湾曲溝から前記カップ部の上縁部に向かって延びるように、前記カップ部内面に設けられる縦溝と、
前記下縁湾曲溝に設けられており、前記カップ部内面と前記カップ部外面とを連絡する通気孔と、
を備えることを特徴とするカップ付き女性用衣類。
【請求項２】
前記縦溝は、前記カップ部頂部を挟んで少なくとも２本設けられている、ことを特徴とする請求項１に記載のカップ付き女性用衣類。
【請求項３】
前記通気孔は、少なくとも前記下縁湾曲溝と前記縦溝とが交わる部分に設けられている、ことを特徴とする請求項１又は２に記載のカップ付き女性用衣類。
【請求項４】
前記縦溝内には凹凸部が設けられている、ことを特徴とする請求項１〜３のいずれかに記載のカップ付き女性用衣類。
【請求項５】
前記縦溝は、前記カップ部内面に設けられる複数の隆起部の間に設けられている、ことを特徴とする請求項１〜４のいずれかに記載のカップ付き女性用衣類。
【請求項６】
前記カップ部はカップとワイヤー部とを備えており、前記下縁湾曲溝は、前記カップ内面に設けられる前記隆起部と、当該カップ内面の下縁湾曲部に沿って縫着される前記ワイヤー部と、の間に設けられていることを特徴とする請求項５に記載のカップ付き女性用衣類。
【請求項７】
左右一対のカップ部を備えたカップ付き女性用衣類であって、
着用状態で乳房の下縁基底線に沿うように前記カップ部内側の下縁湾曲部に設けられた空気を通すための下縁湾曲溝と、
前記下縁湾曲溝から前記カップ部の上縁部に向かって延びるように、前記カップ部内面に設けられる縦溝と、を備え、
前記下縁湾曲溝の底面の少なくとも一部は、メッシュ構造部材により構成されている、ことを特徴とするカップ付き女性用衣類。
【請求項８】
前記縦溝は、前記カップ部頂部を挟んで少なくとも２本設けられている、ことを特徴とする請求項７に記載のカップ付き女性用衣類。
【請求項９】
前記縦溝内には凹凸部が設けられている、ことを特徴とする請求項７又は８に記載のカップ付き女性用衣類。
【請求項１０】
前記縦溝は、前記カップ部内面に設けられる複数の隆起部の間に設けられている、ことを特徴とする請求項７〜９のいずれかに記載のカップ付き女性用衣類。
【発明の詳細な説明】
【０００１】
【発明の属する技術分野】
本発明は、ブラジャー等のカップ付き女性用衣類に関する。かかるカップ付き女性用衣類には、ブラジャー、ブラスリップ、ボディースーツ等のファンデーション衣類の他、水着やレオタード等も含まれる。
【０００２】
【従来の技術】
ブラジャー等のブラカップに多用されるポリウレタン素材や不織布は、素材自体に通気性のないものが多く、特に夏場やスポーツ時などの発汗時に蒸れたりして不快感を伴う。
【０００３】
かかる問題を解消すべく、通気性のよいポリウレタン素材や不織布の開発が進んでおり、これら通気性のよい素材を採用することで従来に比べてブラジャーの通気性の改善がなされている。
【０００４】
また、ブラカップに複数の通気孔を設け、当該通気孔を介してカップ部の内側に空気を供給することで、ブラジャーの通気性の改善を図る技術も開発されている。
【０００５】
【発明が解決しようとする課題】
しかし、上記した従来の技術では、素材そのものの通気性の向上には限界があるため、ブラジャーの通気性の飛躍的な向上は図れなかった。
【０００６】
また、ブラカップに複数の通気孔を設けた場合であっても、通気孔のある部分には空気が点状に触れてその部分は蒸れないかもしれないが、カップ部内側の広い範囲で通気性を良くすることはできなかった。
【０００７】
そこで本発明は、通気性が良好でカップ部内側での蒸れを抑えることが可能なカップ付き女性用衣類を提供することを目的とする。
【０００８】
【課題を解決するための手段】
発明者は、上記目的を達成するため鋭意研究した結果、運動時などにおいて生じるカップ部内側の蒸れは、主に乳房の下縁基底線（バージスライン）に沿う部分で発生する熱に起因するものであり、かかる部分の通気性を良くすることで蒸れの大部分が解消されることを見出し、本発明を完成するに至った。
【０００９】
すなわち本発明のカップ付き女性用衣類は、左右一対のカップ部を備えたカップ付き女性用衣類であって、着用状態で乳房の下縁基底線に沿うようにカップ部内側の下縁湾曲部に設けられる空気を通すための下縁湾曲溝と、下縁湾曲溝からカップ部の上縁部に向かって延びるように、カップ部内面に設けられる縦溝と、下縁湾曲溝に設けられており、カップ部内面とカップ部外面とを連絡する通気孔と、を備えることを特徴とする。
【００１０】
このカップ付き女性用衣類では、カップ部内側の下縁湾曲部に下縁湾曲溝が設けられているため、着用状態で乳房の下縁基底線に沿う部分とカップ部との間に空間が生じる。しかも下縁湾曲溝に通気孔を有しているため、当該通気孔を介してカップ部内部に流入した空気が下縁湾曲溝内を流動する。
【００１１】
したがって、乳房の下縁基底線に沿う部分で発生した熱の大部分は、下縁湾曲溝に流れ込んでカップ部外部へ流れ出る空気とともに取り除かれて、カップ部内部での蒸れが抑えられる。
【００１２】
また、下縁湾曲溝に流入した空気を縦溝を通してカップ部の上縁部から放出することが可能となるため、空気の循環効率が高められて通気性の一層の向上が図られる。
【００１３】
また本発明のカップ付き女性用衣類では、縦溝は、カップ部頂部を挟んで少なくとも２本設けられている、ことを特徴としてもよい。このカップ付き女性用衣類では、カップ部頂部を挟んで縦溝が設けられているため、カップ部頂部に位置する乳頭によって空気の流れが妨げられることがなくなり、縦溝を通して空気をカップ部外部へ効率よく放出することができる。また、乳頭が縦溝に当たるおそれがないため、着用時に乳頭がこすれて痛みを生ずるおそれもない。
【００１４】
また本発明のカップ付き女性用衣類では、通気孔は、少なくとも下縁湾曲溝と縦溝とが交わる部分に設けられている、ことを特徴としてもよい。このようにすれば、通気孔からカップ部内部に流入した空気は、下縁湾曲溝と縦溝とに分かれて効率よく流れていくため、カップ部内部の通気性のより一層の向上を図ることができる。
【００１５】
また本発明のカップ付き女性用衣類では、縦溝内には凹凸部が設けられている、ことを特徴としてもよい。このようにすれば、縦溝内を流れる空気の流出速度を高めてカップ部内部の通気性のより一層の向上を図ることができる。
【００１６】
また本発明のカップ付き女性用衣類では、縦溝は、カップ部内面に設けられる複数の隆起部の間に設けられている、ことを特徴としてもよい。このようにすれば、複数の隆起部の間に縦溝が形成される。
【００１７】
また本発明のカップ付き女性用衣類では、カップ部はカップとワイヤー部とを備えており、下縁湾曲溝は、カップ内面に設けられる隆起部と、当該カップ内面の下縁湾曲部に沿って縫着されるワイヤー部と、の間に設けられていることを特徴としてもよい。このカップ付き女性用衣類では、下縁湾曲溝は、カップ内面に設けられる隆起部と、当該カップ内面の下縁湾曲部に沿って縫着されるワイヤー部との間に設けられる。
【００１８】
本発明のカップ付き女性用衣類は、左右一対のカップ部を備えたカップ付き女性用衣類であって、着用状態で乳房の下縁基底線に沿うようにカップ部内側の下縁湾曲部に設けられた空気を通すための下縁湾曲溝と、下縁湾曲溝からカップ部の上縁部に向かって延びるように、カップ部内面に設けられる縦溝と、を備え、下縁湾曲溝の底面の少なくとも一部は、メッシュ構造部材により構成されている、ことを特徴とする。
【００１９】
このカップ付き女性用衣類では、カップ部内側の下縁湾曲部に下縁湾曲溝が設けられているため、着用状態で乳房の下縁基底線に沿う部分とカップ部との間に空間が生じる。しかも下縁湾曲溝の底面の少なくとも一部はメッシュ構造部材により構成されているため、当該メッシュ構造部材を介してカップ部内部に流入した空気が下縁湾曲溝内を流動する。したがって、乳房の下縁基底線に沿う部分で発生した熱の大部分は、下縁湾曲溝に流れ込んでカップ部外部へ流れ出る空気とともに取り除かれて、カップ部内部での蒸れが抑えられる。また、下縁湾曲溝に流入した空気を縦溝を通してカップ部の上縁部から放出することが可能となるため、空気の循環効率が高められて通気性の一層の向上が図られる。
【００２０】
また本発明のカップ付き女性用衣類では、縦溝は、カップ部頂部を挟んで少なくとも２本設けられている、ことを特徴としてもよい。このカップ付き女性用衣類では、カップ部頂部を挟んで縦溝が設けられているため、カップ部頂部に位置する乳頭によって空気の流れが妨げられることがなくなり、縦溝を通して空気をカップ部外部へ効率よく放出することができる。また、乳頭が縦溝に当たるおそれがないため、着用時に乳頭がこすれて痛みを生ずるおそれもない。
【００２１】
また本発明のカップ付き女性用衣類では、縦溝内には凹凸部が設けられている、ことを特徴としてもよい。このようにすれば、縦溝内を流れる空気の流出速度を高めてカップ部内部の通気性のより一層の向上を図ることができる。
【００２２】
また本発明のカップ付き女性用衣類では、縦溝は、カップ部内面に設けられる複数の隆起部の間に設けられている、ことを特徴としてもよい。このようにすれば、複数の隆起部の間に縦溝が形成される。
【００２３】
【発明の実施の形態】
以下、添付図面を参照しながら本発明の実施形態について説明する。なお、同一の要素には同一の符号を付し、重複する説明を省略する。
【００２４】
（第１実施形態）
図１は、本発明の第１実施形態にかかるカップ付き女性用衣類としてのブラジャー１０を示す斜視図である。
【００２５】
図示のとおり、ブラジャー１０は一対のカップ部１２、肩ストラップ１４、脇布１６を備えている。このブラジャー１０は左右が対称であるため、一方のみについて説明する。
【００２６】
カップ部１２は、ブラカップ１８とワイヤー部２０とを備えている。ブラカップ１８は、ポリウレタン、不織布、樹脂発泡体やその他の樹脂などの厚みのある成型可能な材料からなるシート状のカップ用基材の表裏面に、織布、編物などを重ね合わせたシート状物の積層体を、例えば真空成型法あるいは熱プレス法を用いてモールド成型したものである。
【００２７】
ワイヤー部２０は、乳房の形状を整えるために金属や合成樹脂、繊維強化合成樹脂などからなるワイヤーをバイアステープなどで被覆してなるものである。
【００２８】
図２に、このカップ部１２を内側から見た平面図を示す。本実施形態にかかるブラジャー１０では、カップ部１２の内側の構造に特徴がある。すなわち、図２に示すように、ブラカップ１８内面の下縁湾曲部には、ワイヤー部２０が弧を描くように縫着されている。また、ブラカップ１８の内面には３つの隆起部２２が設けられている。これら隆起部２２は、ブラカップ１８をモールド成型する際に金型によって一体的に成型されたものである。そして、これら隆起部２２とワイヤー部２０との間に、着用状態で乳房の下縁基底線（バージスライン）に沿うように下縁湾曲溝２４が設けられている。この下縁湾曲溝２４の幅は、広いところで１〜２cm、狭いところで０．５〜１cmあり、一方深さは３〜８ｍｍある。
【００２９】
また、３つの隆起部２２の間には、下縁湾曲溝２４からブラカップ１８の上縁部２６に向かって延びる２本の縦溝２８が設けられている。これら２本の縦溝２８は、平行もしくは上広がりに設けるのが好ましく、またブラカップ１８の頂部を挟むように設けることが好ましい。この縦溝２８の幅は、広いところで１〜２cm、狭いところで０．５〜１cmあり、一方深さは１．５〜８ｍｍである。
【００３０】
ここで縦溝２８は、図３の断面図に示すように最も深い箇所がブラカップ１８の頂部位置まで、より好ましくは頂部位置を越えて伸びるように設けることが望ましい。このようにすれば、縦溝２８内を流れる空気の流出速度を高めてカップ部１２内部の通気性の向上を図ることができる。
【００３１】
そして、下縁湾曲溝２４内には、図１〜図３に示すようにブラカップ１８の内面と外面とを連絡する４個の通気孔３０が設けられている。ここでこれらの通気孔３０は、図示の通り少なくとも下縁湾曲溝２４と縦溝２８とが交わる部分に設けられていることが好ましい。このようにすれば、通気孔３０からカップ部１２内部に流入した空気は、下縁湾曲溝２４と縦溝２８とに分かれて効率よく流れていくため、カップ部１２内部の通気性の向上を図ることができる。また、縦溝２８内であってブラカップ１８の上縁部２６付近にも通気孔３２が設けられており、縦溝２８内の通気性の向上が図られている。ここで、これらの通気孔３０，３２の大きさは、溝幅と比べて小さくすることが好ましい。このようにすれば、カップ部１２内部への空気の吸引力が大きくなる。
【００３２】
なお、本実施形態にかかるブラジャー１０では、カップ部１２の外面には薄手の装飾布が被覆されているため、通気孔３０，３２を通して肌が露見することがないようになっている。
【００３３】
図４は、図１におけるIV−IV線に沿った断面図を示している。図示の通り、ブラカップ１８の内面には隆起部２２とワイヤー部２０との間に設けられた下縁湾曲溝２４、および隆起部２２の間に設けられた２本の縦溝２８が存在しており、これらの溝２４，２８によって乳房の表面から離間した空間が形成されている。
【００３４】
次に、図５〜図７を参照して本実施形態にかかるブラジャー１０の通気作用について説明する。
【００３５】
図６は、安静時など乳房が下方位置にある状態でのカップ部１２と乳房との関係を示している。図示の通り、乳房が下方位置にある状態では、隆起部２２とワイヤー部２０との間に設けられた下縁湾曲溝２４により、乳房の下縁基底線に沿う部分に空間が形成されている。したがって、この状態では図５に示すように下縁湾曲溝２４内に設けられた通気孔３０からカップ部１２内部に流入した空気は体幹で暖められ、暖かい空気は上昇するという物理現象により、図中の矢印で示すように下縁湾曲溝２４内および縦溝２８内を通って、ブラカップ１８の上縁部２６よりカップ部１２外部へ流出する。
【００３６】
一方、図７は運動時など乳房が揺れて上方位置にある状態でのカップ部１２と乳房との関係を示している。図示の通り、乳房が上方位置にある状態では、乳房下部とカップ部１２との間に広い空間４０が生じる。この空間４０は減圧状態にあるため、通気孔３０を介してのカップ部１２内部への空気の流入が促進される。そして、カップ部１２内部において体幹で暖められた空気が、物理現象により、図５中の矢印で示すように下縁湾曲溝２４内および縦溝２８内を通って、ブラカップ１８の上縁部２６よりカップ部１２外部へ流出する。このように運動時においては、図７に示すように乳房が上方に位置することにより、乳房下部とカップ部１２との間に減圧状態の広い空間４０が形成され、カップ部１２内部への空気の流入が促進され、図６に示すように乳房が下方位置へ戻るにしたがって当該減圧空間４０内の空気が下縁湾曲溝２４および縦溝２８を通ってカップ部１２外部へ押し出される。このように、運動時においては乳房が上下動することに基づく、いわゆるふいご作用によって、カップ部１２内部と外部との間で空気の循環が促進される。よって、カップ部１２内での通気性が向上し、蒸れの抑制が図られる。
【００３７】
次に、本実施形態のブラジャー１０の作用および効果について説明する。
【００３８】
本実施形態にかかるブラジャー１０では、ブラカップ１８内面に設けられる隆起部２２と、当該ブラカップ１８内面の下縁湾曲部に沿って縫着されるワイヤー部２０との間に下縁湾曲溝２４が設けられているため、着用状態で乳房の下縁基底線に沿う部分とカップ部１２との間に空間が生じる。しかも下縁湾曲溝２４には通気孔３０が設けられているため、当該通気孔３０を介して下縁湾曲溝２４とカップ部１２外部との間で空気の循環が起こる。したがって、乳房の下縁基底線に沿う部分で発生した熱の大部分は、下縁湾曲溝２４に流れ込んでカップ部１２外部へ流れ出る空気とともに取り除かれて、カップ部１２内部での蒸れを抑制することができる。
【００３９】
また本実施形態にかかるブラジャー１０では、下縁湾曲溝２４に流入した空気は縦溝２８を通してブラカップ１８の上縁部２６からも放出されるため、空気の循環効率が高められて通気性の一層の向上を図ることができる。
【００４０】
また本実施形態にかかるブラジャー１０では、ブラカップ１８の頂部を挟んで縦溝２８が設けられているため、ブラカップ１８頂部に位置する乳頭によって空気の流れが妨げられることがなくなり、縦溝２８を通して体幹で暖められた空気をカップ部１２外部へ効率よく放出することができる。また、乳頭が縦溝２８に当たるおそれがないため、着用時に乳頭がこすれて痛みを生ずるおそれもない。
【００４１】
また本実施形態にかかるブラジャー１０では、通気孔３０は縦溝２８と下縁湾曲溝２４との交わる部分に設けられているため、通気孔３０からカップ部１２内部に流入した空気を、下縁湾曲溝２４と縦溝２８とに分けて効率よく流すことができ、カップ部１２内部の通気性のより一層の向上を図ることができる。
【００４２】
また本実施形態にかかるブラジャー１０では、縦溝２８内であってブラカップ１８の上縁部２６付近にも通気孔３２が設けられているため、通気性のより一層の向上を図ることができる。
【００４３】
また本実施形態にかかるブラジャー１０では、複数の隆起部２２の間に縦溝２８が形成されているため、カップ部１２に丸みを出しやすく、かつカップ部１２の強度が上がり、造形性の向上を図ることができる。
【００４４】
なお、上記した実施形態では縦溝２８が２本のブラジャー１０について説明したが、この縦溝２８の数は２本に限定されることなく３本以上であってもよく、３〜６本が好ましい。図８は、縦溝２８を３本有する本実施形態のブラジャー１０の変形例を示している。これら３本の縦溝２８は、ブラカップ１８内面の４個の隆起部２２の間に形成されている。この場合でも、縦溝２８はブラカップ１８頂部を挟むように設けると好ましい。また、図示の通り少なくとも縦溝２８と下縁湾曲溝２４との交わる部分に通気孔３０を設けると好ましい。このようにすれば、カップ部１２内での通気性のより一層の向上を図ることができる。
【００４５】
（第２実施形態）
以下、図９および図１０を参照しながら、本発明の第２実施形態について説明する。なお、上述した第１実施形態において説明した要素と同一の要素には同一の符号を付し、重複する説明を省略する。
【００４６】
図９は、本発明の第２実施形態にかかるブラジャー１０の構成を示す斜視図であり、図１０は本実施形態にかかるブラジャー１０のカップ部１２を内側から見た平面図である。
【００４７】
本実施形態のブラジャー１０では、カップ部１２下縁の構造が上記した第１の実施形態と相違している。すなわち、本実施形態のブラジャー１０では、ワイヤー部２０はメッシュ構造部材５０を介してブラカップ１８の下縁と連結されている。このメッシュ構造部材５０は、メッシュ布やメッシュ状に形成された樹脂部材などから構成されている。そして、下縁湾曲溝２４はブラカップ１８内面に設けられる隆起部２２と、当該ワイヤー部２０との間に設けられており、当該メッシュ構造部材５０が下縁湾曲溝２４の一部を構成している。そして、このメッシュ構造部材５０を通して下縁湾曲溝２４内に空気が出入りするようになっている。
【００４８】
なお、本実施形態ではカップ部１２は土台布５２に縫着されており、この土台布５２の側縁から脇布１６が延びている。
【００４９】
このように、本実施形態にかかるブラジャー１０では、ブラカップ１８内面に設けられる隆起部２２と、当該ブラカップ１８の下縁にメッシュ構造部材５０を介して縫着されるワイヤー部２０との間に下縁湾曲溝２４が設けられているため、着用状態で乳房の下縁基底線に沿う部分とカップ部１２との間に空間が生じる。しかも下縁湾曲溝２４にはメッシュ構造部材５０を介して空気が流入出するため、下縁湾曲溝２４とカップ部１２外部との間で空気の循環が起こる。したがって、乳房の下縁基底線に沿う部分で発生した熱の大部分は、下縁湾曲溝２４に流れ込んでカップ部１２外部へ流れ出る空気とともに取り除かれて、カップ部１２内部での蒸れを防止することができる。
【００５０】
また本実施形態にかかるブラジャー１０では、下縁湾曲溝２４に流入した空気は縦溝２８を通してブラカップ１８の上縁部２６からも放出されるため、空気の循環効率が高められて通気性の一層の向上を図ることができる。
【００５１】
また本実施形態にかかるブラジャー１０では、ブラカップ１８の頂部を挟んで縦溝２８が設けられているため、ブラカップ１８の頂部に位置する乳頭によって空気の流れが妨げられることがなくなり、縦溝２８を通して体幹で暖められた空気をカップ部１２外部へ効率よく放出することができる。また、乳頭が縦溝２８に当たるおそれがないため、着用時に乳頭がこすれて痛みを生ずるおそれもない。
【００５２】
なお、上記した実施形態では縦溝２８が２本のブラジャー１０について説明したが、この縦溝２８の数は２本に限定されることなく３本以上であってもよく、３〜６本が好ましい。
【００５３】
図１１は、縦溝２８を３本有する本実施形態のブラジャー１０の変形例を示している。これら３本の縦溝２８は、ブラカップ１８内面の４個の隆起部２２の間に形成されている。また、この変形例ではブラカップ１８はシームレスタイプのものではなく、上カップ１８ａと下カップ１８ｂとからなる２枚接ぎのタイプのものである。そしてメッシュ構造部材５０は、下カップ１８ｂの下縁とワイヤー部２０との間に縫着されており、当該メッシュ構造部材５０が下縁湾曲溝２４の一部を構成している。このメッシュ構造部材５０の両側縁は、上カップ１８ａの下縁に設けられた溝５６と連絡されており、このメッシュ構造部材５０と上カップ１８ａの溝とで下縁湾曲溝２４が構成されている。この場合、図示の通り３本の縦溝２８はメッシュ構造部材５０の部分を起点にブラカップ１８の上縁部２６に向かって延びるように設けると好ましい。このようにすれば、カップ部１２内での通気性の向上を図ることができる。
【００５４】
この変形例にかかるブラジャー１０では、メッシュ構造部材５０からカップ部１２内部に流入した空気は、体幹で暖められた後に上カップ１８ａの溝５６および縦溝２８を通って上カップ１８ａの上縁部２６からカップ部１２外部に放出される。
【００５５】
なお、特公昭３５−１１４４０号公報には、カップ部の下縁湾曲部にメッシュ構造の布を縫着してなるブラジャーが開示されている。しかし、このブラジャーはメッシュ素材によりカップ部に融通性、揺動性を持たせて運動性の向上を図ったものであり、カップ部内部での通気性改善を目的として構成されたものではない。またこのメッシュ構造の布を通して乳房の表面に空気が当たることがあっても、カップ部内部で空気が流動する溝が存在しないため、通気性が良いものとは言えない。これに対し本実施形態にかかるブラジャー１０では、ブラカップ１８の下縁湾曲部に下縁湾曲溝２４を有しているため、メッシュ構造部材５０を通してカップ部１２内部に流入した空気が下縁湾曲溝２４内を流動してブラカップ１８の上縁部２６から流出する。しかも、ブラカップ１８の内面には縦溝２８が設けられているため、この縦溝２８を介しても空気がカップ部１２外部へ流出する。このように、下縁湾曲溝２４および縦溝２８を通してカップ部１２内部の熱をカップ部１２外部へ効率よく放出することができるため、カップ部１２内部での蒸れを防止することができる。
【００５６】
以上、第１および第２の実施形態において本発明のブラジャー１０を説明したが、これらブラジャー１０の内部に蛍光性の粉末を散在させたものを実際に着用し、乳房が揺れる程度に軽い運動を行って暗環境下で空気の流れを観察した。その結果、蛍光性の粉末が縦溝２８および下縁湾曲溝２４を通ってブラカップ１８の上縁部２６より放出される様子が実験により観察されている。このように、上記した実施形態にかかるブラジャー１０では、通気性が極めて優れているため、カップ部１２内側での蒸れを効果的に抑制することができる。
【００５７】
次に、本発明者の行ったブラジャーの通気性試験について説明する。
【００５８】
（使用サンプル）
第１実施形態において説明した下縁湾曲溝と当該下縁湾曲溝内に設けられる通気孔とを有するウレタンブラジャー（図１参照；図１４〜１６において「溝穴」と称す）と、第２実施形態において説明した下縁湾曲溝とメッシュ構造部材とを有するウレタンブラジャー（図８参照；図１４〜１６において「溝メッシュ」と称す）を用いた。なお、比較のためカップ部内面に溝を有しない従来のウレタンブラジャーをも用いて通気性試験を行った。
【００５９】
（環境設定条件）
通気性試験は、室温３０℃、室内湿度７０％ＲＨの条件下で行った。
【００６０】
（使用モニタ）
モニタとして、２０代で、Ｂ７０の女性を使用した。
【００６１】
（試験内容）
図１２に示すように、まずブラジャーを着用して安静にした状態で、センサを装着して皮膚温の測定を開始した。
【００６２】
次に、５分間の運動を行い、運動終了後は再び安静の状態を保った。その後、ブラジャーを外して皮膚温の測定を終了した。
【００６３】
そして、深部温（鼓膜温）が測定開始時の温度に戻った後、再び他のブラジャーを着用し、上記した皮膚温の測定を行った。
【００６４】
なお、皮膚温は、図１３に示すように（i）ブラジャー外部の胸部正中線上、（ii）カップ部内部の上部位置、（iii）カップ部内部の下部位置の三カ所で測定した。
【００６５】
図１４〜図１６は、それぞれ（i）〜（iii）の測定個所における皮膚温の温度変化の様子を表している。
【００６６】
図示のとおり、本発明の実施形態にかかるブラジャーでは、いずれの測定個所においても従来のブラジャーと比べて皮膚温の低下が見られる。これは、本発明の実施形態にかかるブラジャーではカップ部内部での通気性が改善されたからと考えられる。
【００６７】
なお、本発明は上記した実施形態に限定されることなく種々の変形が可能である。
【００６８】
例えば、図１７の断面図に示すように、縦溝２８内であって下縁湾曲溝２４の近傍に凹凸部６０を設けてもよい。このようにすれば、縦溝２８内での空気の流出速度を高めてカップ部１２内部の通気性のより一層の向上を図ることができる。この凹凸部６０による通気性の向上は実験によっても確かめられており、これは空気の通路に山と谷が存在することで、図１７中の矢示の通り空気の回転が起きて流出速度が速くなったからであると推測される。なお、凹凸部６０の山の数は限定されないが、２個程度が好ましい。
【００６９】
また、上記した実施形態ではモールド成型によりブラカップ１８の縦溝２８を形成したが、ポリウレタンや不織布などからなる厚みのあるカップ用基材にテープ状布を縫着し、その箇所の厚みを押さえることによって縦溝２８を形成してもよい。また、ダブルラッシェルという素材自体に凹凸のある布を用い、この溝を縦方向に使うことによって縦溝２８を形成してもよい。この場合、ダブルラッシェルの溝の幅や深さは、上記した実施形態のものと同程度のものに形成しておく必要がある。なお、モールド成型により縦溝２８を形成した場合は、縦溝２８の深さや幅を自由に設定することができ、また繰り返しの着用や洗濯による変形の少ない耐久性に優れたものを得ることができるので好ましい。
【００７０】
また、第２実施形態にかかるブラジャー１０において、縦溝２８内に通気孔を設けて通気性の更なる向上を図ってもよい。
【００７１】
【発明の効果】
本発明のカップ付き女性用衣類では、カップ部内側の下縁湾曲部に下縁湾曲溝が設けられているため、着用状態で乳房の下縁基底線に沿う部分とカップ部との間に空間が生じる。しかも下縁湾曲溝に空気を案内する空気案内手段を有しているため、当該空気案内手段を介して下縁湾曲溝とカップ部外部との間で空気の循環が起こる。その結果、乳房の下縁基底線に沿う部分で発生した熱の大部分を、下縁湾曲溝に流れ込んでカップ部外部へ流れ出る空気とともに取り除くことができるため、カップ部内部での蒸れを抑えることができる。
【図面の簡単な説明】
【図１】本発明の第１実施形態にかかるブラジャーを示す斜視図である。
【図２】カップ部を内側から見た平面図である。
【図３】図２のIII−III線に沿う断面を示す断面図である。
【図４】図１のIV−IV線に沿う断面を示す断面図である。
【図５】ブラジャー内部での空気の流れを示す斜視図である。
【図６】乳房が下方位置にある状態でのカップ部と乳房との関係を示す側断面図である。
【図７】乳房が上方位置にある状態でのカップ部と乳房との関係を示す側断面図である。
【図８】第１実施形態にかかるブラジャーの変形例を示す斜視図である。
【図９】本発明の第２実施形態にかかるブラジャーを示す斜視図である。
【図１０】カップ部を内側から見た平面図である。
【図１１】第２実施形態にかかるブラジャーの変形例を示す斜視図である。
【図１２】通気性試験における試験内容を示すタイムチャートである。
【図１３】通気性試験における皮膚温の測定箇所を示す図である。
【図１４】カップ部外部の胸部正中線上の皮膚温の温度変化の様子を示すグラフである。
【図１５】カップ部内部の上部位置での皮膚温の温度変化の様子を示すグラフである。
【図１６】カップ部内部の下部位置での皮膚温の温度変化の様子を示すグラフである。
【図１７】縦溝内に設けられた凹凸部と空気の流れを示す断面図である。
【符号の説明】
１０…ブラジャー、１２…カップ部、１８…ブラカップ、２０…ワイヤー部、２２…隆起部、２４…下縁湾曲溝、２８…縦溝、３０…通気孔、５０…メッシュ構造部材、６０…凹凸部。
【図１】
0003678963.tif 000002
【図２】
0003678963.tif 000003
【図３】
0003678963.tif 000004
【図４】
0003678963.tif 000005
【図５】
0003678963.tif 000006
【図６】
0003678963.tif 000007
【図７】
0003678963.tif 000008
【図８】
0003678963.tif 000009
【図９】
0003678963.tif 000010
【図１０】
0003678963.tif 000011
【図１１】
0003678963.tif 000012
【図１２】
0003678963.tif 000013
【図１３】
0003678963.tif 000014
【図１４】
0003678963.tif 000015
【図１５】
0003678963.tif 000016
【図１６】
0003678963.tif 000017
【図１７】
0003678963.tif 000018